(57)【要約】      （修正有）【課題】土中に埋設せずとも確実に獣を捕捉可能な簡単な構成のくくり罠を提供する。【解決手段】ワイヤＷをプールさせたくくり部材１と、くくり部材１のループを小さくするように締め付ける締め付け部材３と、締め付け部材３を稼働させるように力を与える踏み板８とを備え、くくり部材１を踏み板８の力によって獣足をくくるように締め付けるくくり罠であって、記締め付け部材３がくくり部材側１からくくり部材の反対側に貫通するワイヤＷを捲回するスプリングＳを収納する収納部材４，５，６から構成され、踏み板８が下方方向に力を加えると締め付け部材３が稼動するように締め付け部材３の上部に係止されている。【選択図】図１
2014155449.tif 000002
【特許請求の範囲】
【請求項１】
一方に設けられた通し孔に他方を通して罠用ループが作られるワイヤ状のくくり部材と、前記罠用ループを小さくするように締め付ける締め付け部材と、前記締め付け部材を稼働させるように力を与える踏み板とを備え、
前記くくり部材を前記踏み板の力によって獣足をくくるように締め付けるくくり罠であって、
前記締め付け部材が前記くくり部材側から前記くくり部材の反対側に貫通する前記ワイヤを捲回するスプリングを収納する収納部材から構成され、
前記踏み板が下方方向に力を加えると前記締め付け部材が稼動するように締め付け部材の上部に係止されていることを特徴とするくくり罠。
【請求項２】
前記締め付け部材と前記踏み板との係止が前記締め付け部材の上部に設けられた係止孔と係止溝と、前記踏み板に設けられた係止用の棒状部材と前記係止溝の係合する係止部とから構成されることを特徴とする請求項１に記載のくくり罠。
【発明の詳細な説明】
【技術分野】
【０００１】
本発明は、くくり罠に関するものである。
【背景技術】
【０００２】
くくり罠は、大型鳥獣の捕獲や有害鳥獣の特に獣の捕獲用の罠であり、獣足を輪状のくくり部によりくくって捕まえている。くくり罠を設置するため、例えば獣道に獣の踏み込み足が入る深さの穴を掘り、その穴の内周壁に短い小枝を数本差し込んで横に渡し、その横木上に獣足検出線を数本拡げて乗せ、その各先端を穴の周囲上に差し込んだ枯れ枝や草等に結びつけた後、その穴の周囲上にくくり罠本体の先端部に設けた輪状のくくり部を乗せて、その上を落ち葉や土等で被ってカモフラージュして用いている。
【０００３】
そして、このような獣足検出線の後端はくくり罠本体の安全装置に備えたロック・解除用の安全ピンを止める止め輪に結び付けておく。すると、穴内に獣の踏み込み足が入って、その獣足検出線に獣足の荷重が加わった時、線が穴の底に落ち込む等により緊張状態となり、その線の後端が前方へと引かれるので、止め輪が前方に移動する。それ故、止め輪に嵌っていた安全ピンが抜けて安全装置のロック状態が解除され、圧縮状態にあったコイルスプリングが解放さるので、そのばね力を利用してくくり部の輪を引き締めることにより、獣足をくくって捕獲できる。
【０００４】
特許文献１には、獣道に単に穴を掘って、そこにくくり罠を設置するだけでは、降雨、降雪等によって穴の周囲壁が崩れる等して、その穴内が土砂等で埋まり易く、特に荒天後の見回り管理が必要になるため、地中に埋め込んで仕掛ける筒を用い、その仕掛筒内に、獣の踏み込み足により荷重が加わった時に下方移動可能な網等の平板を備え付けたくくり罠が提示されている。
【０００５】
例えば特許文献１には、獣の踏み込み足が入る上開口を有し、地中に埋め込んで仕掛ける仕掛筒を用いる。そして、上記仕掛筒の内部に、その筒内に嵌った獣足の荷重が加わる複数本の獣足検出線を、隣接する線同士所定の間隔を開けて掛け渡し、その各獣足検出線の先端を仕掛筒の前側壁に夫々固定し、更に獣足検出線の後端部を仕掛筒の後側壁に設けた対応する貫通穴を夫々挿通させて外部に引き出し、その各後端付近をまとめて結合し、その後端結合部にくくり罠本体の先端部に設けたくくり部のくくり動作開始用トリガ部材を備え付ける獣足用のくくり罠が開示されている。
【０００６】
また、特許文献２には構成が簡単且つ小型で、撥ね上げ部材を弱いものにした場合でも、獣足のくくりをより確実にすることができるくくり罠として、図４に示すように本体外枠１１３と、本体外枠１１３の内周に嵌まって上下方向へ移動可能に設けられると共に内部に踏み板４が固定され、上部外周が、罠を設置するときにはくくり部材１１４が罠用ループ１１４ａを作るように嵌められる部位になると共に、踏み板１０４が踏み込まれることに伴って下降したときにはくくり部材１１４が外れる部位になるように設けられている本体中枠１０３と、撥ね上げ部材１１７の稼働時にくくり部材１１４の急激な上昇によって起こる罠用ループ１１４ａの先端が垂れ下がって輪にならないことを防ぐため、くくり部先端跳ね上げ部材１０２と、回動作動部材１２０とを具備するくくり罠が開示されている。
【先行技術文献】
【特許文献】
【０００７】
【特許文献１】特開２００８−１７３０１０６号公報
【特許文献２】特開２０１２−５４７７号公報
【発明の概要】
【発明が解決しようとする課題】
【０００８】
しかしながら、特許文献１のくくり罠は、獣の捕捉力が弱くしばしば捕捉した獣に逃げられることがあった。また、特許文献２に記載のくくり罠は、十分に獣を捕捉することが可能であるが、これを例えば土中に埋設せずに使用すると、上部おおい布、外枠、中枠、第１、第２の踏み部材等がバラけるという欠点があった。
【０００９】
そのため、簡単な構成で、土中に穴を掘らないでも確実に獣を捕捉可能なくくり罠に対する要求があった。したがって、本発明の課題は、土中に埋設せずとも確実に獣を捕捉可能な簡単な構成のくくり罠を提供することである。
【課題を解決するための手段】
【００１０】
上記課題は、一方に設けられた通し孔に他方を通して罠用ループが作られるワイヤ状のくくり部材と、前記罠用ループを小さくするように締め付ける締め付け部材と、前記締め付け部材を稼働させるように力を与える踏み板とを備え、前記くくり部材を前記踏み板の力によって獣足をくくるように締め付けるくくり罠であって、前記締め付け部材が前記くくり部材側から前記くくり部材の反対側に貫通する前記ワイヤを捲回するスプリングを収納する収納部材から構成され、前記踏み板が前記締め付け部材の上部に係止されていることを特徴とするくくり罠によって解決される。
【００１１】
本発明のくくり罠において、前記締め付け部材と前記踏み板との係止が前記締め付け部材の上部に設けられた係止孔と係止溝と、前記踏み板に設けられた係止用の棒状部材と前記係止溝の係合する係止部とから構成されることが好ましい。
【発明の効果】
【００１２】
本発明のくくり罠は、一方に設けられた通し孔に他方を通して罠用ループが作られるワイヤ状のくくり部材と、該くくり部材の前記通し孔を形成する一端部に接して前記罠用ループを小さくするように締め付ける締め付け部材と、前記締め付け部材を稼働させるように力を与える踏み板とを備え、前記くくり部材を前記踏み板の力によって獣足をくくるように締め付けるくくり罠であり、前記締め付け部材が前記くくり部材側から前記くくり部材の反対側に貫通する前記ワイヤを捲回するスプリングを収納する収納部材から構成され、
前記踏み板が下方方向に力を加えると前記締め付け部材が稼動するように締め付け部材の上部に係止されている。このような簡単な構成で、例えば締め付け部材を樹木、切り株等に取り付けるだけで土中に穴を掘り仕掛けを埋めなくとも獣足を確実に捕捉可能である。しかも仕掛けのトリガは、踏み板を垂直下方方向への所定の力（すなわち、対象となる獣が踏み板を踏んだ際の力）であるので、獣捕捉後にくくり罠の仕掛けが散乱することがない。そのため、狩猟用のみならず、例えば市街地のコンクリート上にも本発明のくくり罠を仕掛け有害獣を捕捉することも可能となる。
【図面の簡単な説明】
【００１３】
【図１】本発明のくくり罠の一例を示す図面である。
【図２】図１に示すくくり罠の締め付け部材と踏み板を係止した状態を示す図面である。
【図３】図１に示すくくり罠を取り付けた一例を示す図面である。
【図４】従来技術のくくり罠の一例を示す図面である。
【発明を実施するための形態】
【００１４】
以下、本発明の実施の形態を図１から図３に基づいて説明する。
【００１５】
図１に示す通り、本発明のくくり罠１０は、ワイヤＷの一端にループ用金具２によってループ状にしたくくり部材１と、くくり部材１を捕捉した獣の足を締め付けるための締め付け部材３と、締め付け部材の締め付けを稼動させるための踏み板８とから主として構成されている。
【００１６】
図１に示す通り、ワイヤＷの一端にループ用金具２によりループを構成したワイヤの他端は、頂部にワイヤＷを貫通させるための穴（図示せず）を設けた上部キャップ部４とワイヤＷを貫通させるための中空部材５と貫通させるための穴（図示せず）を設けた下部キャップ部６からなる収納部を貫通させて過度の締め付けを防止するための締め付け防止具７を介して終端している。なお、ワイヤＷの他方の終端はクランプ止めされより戻し等を装着するのが一般的である。
【００１７】
上部キャップ部４、中空部材５、下部キャップ部６を貫通して収納されたワイヤＷは、所定の付勢力を有するスプリングＳで捲回された状態（すなわち、スプリングＳの内側をワイヤＷが貫通した状態で）、上部キャップ部４、中空部材５、下部キャップ部６を固定して締め付け部材３を構成している。なお、締め付け部材３を構成する上部キャップ部４、中空部材５、下部キャップ部６は、従来公知の部材から適宜選択されるが、広く市販されている塩化ビニル製のパイプおよびキャップを使用することが価格の点および加工性の点で好ましい。また、本発明に使用するワイヤは太さ法定範囲の太さ４ｍｍ以上のものであれば特に限定されず、ワイヤも本発明の作用効果が発揮できるものであれば特に限定されるものではない。
【００１８】
この締め付け部材３は、くくり部材１側から所定の力で押される方向に力がかかるとくくり部材１のループが小さくなる（すなわち、締め付けられる）。
【００１９】
また、踏み板８は、垂直下方方向の力を締め付け部材３に与えるものであり、図２に示すように締め付け部材３の上部側に係止されている。なお、踏み板８の素材は、本発明の作用効果を損な罠いものであれば特に限定されるものではなく、木製の板、プラスチック製の板あるいは金属製の板で踏み板は構成される。
【００２０】
本発明の特定の実施形態において、図１に示す通り踏み板８は、踏み板８に対して垂直に設けられた突起を有する係止部材８ａを有しており、上部キャップ側に設けられた係止穴４ａと突起とが係合し、係止部材８ａと上部キャップ側に設けられた係止溝８ｂとが係止されるように構成されている。なお、図２に締め付け部３に踏み板８を係止した状態を示す。
【００２１】
このように構成された本発明のくくり罠１０は、図２に示す通り、締め付け部３と踏み板８とを係止した状態で、図３に示すように支持部材２０に固定して使用する。
【００２２】
すなわち、本発明のくくり罠１０は、従来のように土中に埋設して使用する以外に、樹木、杭、切り株等の支持部材２０に本発明のくくり罠１０を固定して使用することを想定している。
【００２３】
具体的には、図３に示す通り、本発明のくくり罠１０を踏み板８を係止した状態で支持部材２０に固定し、くくり部材１の所定の大きさのループを踏み板８と平行となるように配置し、他端側を固定する。このように配置することによって、獣の足がくくり部材１のループを介して踏み板８を踏むと、図３に示す通りくくり罠１０に対して垂直下方方向に力がかかる。
【００２４】
この獣足の垂直下方方向の力によりくくり部材１のループが締め付け方向に稼動して、獣足を捕捉することができる。
【００２５】
本発明のくくり罠はこのような簡単な構成で確実に目的とする獣の獣足を捕捉することが可能である。また、スプリングＳの付勢力を目的とする獣に応じて調節することにより、目的とする獣の力より弱い力では締め付け部が稼動しないようにすることができる。そのため、例えば猟犬等による誤作動を防止することも可能となる。
【産業上の利用可能性】
【００２６】
本発明のくくり罠は、一方に設けられた通し孔に他方を通して罠用ループが作られるワイヤ状のくくり部材と、該くくり部材の前記通し孔を形成する一端部に接して前記罠用ループを小さくするように締め付ける締め付け部材と、前記締め付け部材を稼働させるように力を与える踏み板とを備え、前記くくり部材を前記踏み板の力によって獣足をくくるように締め付けるくくり罠であり、前記締め付け部材が前記くくり部材側から前記くくり部材の反対側に貫通する前記ワイヤを捲回するスプリングを収納する収納部材から構成され、前記踏み板が前記締め付け部材の上部に係止されている。このような簡単な構成で、例えば締め付け部材を樹木、切り株等に取り付けるだけで土中に穴を掘り仕掛けを埋めなくとも獣足を確実に捕捉可能である。しかも仕掛けのトリガは、踏み板を垂直下方方向への所定の力（すなわち、対象となる獣が踏み板を踏んだ際の力）であるので、獣捕捉後にくくり罠の仕掛けが散乱することがない。そのため、狩猟用のみならず、例えば市街地のコンクリート上にも本発明のくくり罠を仕掛け有害獣を捕捉することも可能となる。
【符号の説明】
【００２７】
１  くくり部材
２  ループ用金具
３  締め付け部材
４  上部キャップ部
４ａ  係止穴
４ｂ  係止溝
５  中空部材
６  下部キャップ部
７  締め付け防止具７
８  踏み板
８ａ  係止部材
１０  くくり罠
２０  支持部材
Ｗ  ワイヤ
Ｓ  スプリング
【図１】
2014155449.tif 000003
【図２】
2014155449.tif 000004
【図３】
2014155449.tif 000005
【図４】
2014155449.tif 000006